(57)【特許請求の範囲】
【請求項１】
ワイヤレス通信システムの少なくとも１つの移動局内で使用する方法であって、
少なくとも1つの移動局においてアクセス要求を監視するステップと、
少なくとも1つの基地局から受信されるページングメッセージを監視するステップと、
前記少なくとも１つの基地局から受信される要求応答メッセージを監視するステップと、
アクセス要求および／またはページングメッセージが検出されたかどうかを決定するステップと、
アクセス要求が検出された場合、この少なくとも１つの移動局専用のセグメント上で前記少なくとも１つの基地局へ実質的にすぐに要求メッセージを生成し、送信するステップと、
前記ページングメッセージを受信するため事前指定されるセグメントを利用するステップと、
前記要求応答メッセージを送信するために前記事前指定されるセグメントを利用するステップと、
前記事前指定されるセグメントのいずれかにおいて要求応答メッセージが受信された場合、要求応答メッセージの受信を示す確認を前記少なくとも１つの基地局に送信するステップと、
前記事前指定されるセグメントにおいてページングメッセージが検出された場合、ページングメッセージの受信を示す確認を前記少なくとも１つの基地局に送信するステップとを含み、
これによって、前記少なくとも１つの移動局が前記基地局からアクセスを得る待ち時間が最小化され、効率性が改善される方法。
【請求項２】
ワイヤレス通信システムの少なくとも１つの基地局内で使用する方法であって、
前記少なくとも1つの基地局に供給されるページング指示を監視するステップと、
少なくとも1つの移動局に割り当てられたセグメントにおいて前記少なくとも1つの移動局から受信される要求メッセージを監視するステップと、
要求メッセージおよび／またはページング指示が前記少なくとも1つの基地局において検出されたことを決定するステップと、
前記ページングメッセージを送信するために事前指定されるセグメントを利用するステップと、
要求応答メッセージを送信するために前記事前指定されるセグメントを利用するステップと、
ページング指示が検出された場合、前記事前指定されるセグメントのうちの特定の１つにおいて前記少なくとも１つの移動局に対してページングメッセージを送信するステップと、
前記ページングメッセージが受信されたことを示す前記移動局からの確認が前記少なくとも１つの基地局により受信されたかどうかを決定するステップと、
前記少なくとも１つの移動局からの要求メッセージが前記少なくとも１つの基地局により受信された場合、前記事前指定されるセグメントのうちの任意の１つにおいて前記少なくとも１つの移動局に対して実質的にすぐに要求応答メッセージを生成し、送信するステップと、
要求応答メッセージが受信されたことを示す前記少なくとも一つの移動局からの確認が前記少なくとも一つの基地局により受信されたか否かを決定するステップとを含み、
これによって、前記少なくとも１つの基地局が前記少なくとも１つの移動局へのアクセスを得る待ち時間が最小化され、効率性が改善される方法。
【請求項３】
少なくとも１つの移動局と少なくとも１つの基地局を含むワイヤレス通信システム内で使用する方法であって、
前記少なくとも一つの移動局内では、
前記少なくとも一つの移動局においてアクセス要求を監視するステップと、
前記少なくとも一つの基地局から受信されるページングメッセージを監視するステップと、
前記少なくとも１つの基地局から受信される要求応答メッセージを監視するステップと、
アクセス要求および／またはページングメッセージが検出されたか否かを決定するステップと、
アクセス要求が検出される場合、前記少なくとも一つの移動局専用のセグメント上で前記少なくとも１つの基地局に対して実質的にすぐに要求メッセージを生成し、送信するステップと、
事前指定されるセグメントは前記ページングメッセージを受信するために利用され、前記事前指定されるセグメントは前記要求応答メッセージを送信するために利用され、
前記事前指定されるセグメントのいずれかにおいて要求応答メッセージが受信される場合、該要求応答メッセージの受信を示す確認を前記少なくとも一つの基地局へ送信するステップと、
前記事前指定されるセグメントのいずれかにおいてページングメッセージが検出される場合、該ページングメッセージの受信を示す確認を前記少なくとも一つの基地局へ送信するステップとを含み、
これによって前記少なくとも１つの移動局が前記基地局からアクセスを得る待ち時間が最小化され、効率性が改善され、
前記少なくとも１つの基地局内では、
前記少なくとも１つの基地局へ供給されるページング指示を監視するステップと、
前記少なくとも１つの移動局に割り当てられるセグメントにおいて少なくとも
１つの移動局から受信される要求メッセージを監視するステップと、
前記少なくとも１つの基地局において要求メッセージおよび／またはページング指示が検出されたかどうかを決定するステップと、
前記ページングメッセージを送信するために事前指定されるセグメントを利用するステップと、
前記要求応答メッセージを送信するために前記事前指定されるセグメントを利用するステップと、
ページング指示が検出された場合、前記事前指定されるセグメント内で前記少なくとも１つの移動局にページングメッセージを送信するステップと、
前記ページングメッセージが受信されたことを示す前記少なくとも１つの移動局からの確認が前記少なくとも１つの基地局により受信されたどうかを決定するステップと、
前記少なくとも１つの移動局からの要求メッセージが前記少なくとも１つの基地局により受信されている場合、前記事前指定されるセグメントのうちの任意の１つにおいて前記少なくとも１つの移動局に対して実質的にすぐに要求メッセージを生成し、送信するステップと、
前記要求応答メッセージが受信されたことを示す前記少なくとも１つの移動局からの確認が前記少なくとも１つの基地局によって受信されたかどうかを決定するステップとを含み、
これによって、前記少なくとも１つの基地局が前記少なくとも１つの移動局へのアクセスを得るための待ち時間が最小化され、効率性が改善される方法。
【請求項４】
要求メッセージを送信する前記セグメントは要求セグメントである、請求項１に記載の方法。
【請求項５】
前記事前指定されるセグメントは割当てセグメントであり、前記確認は確認セグメント内で送信される、請求項４に記載の方法。
【請求項６】
前記少なくとも１つの移動局において、前記ページングメッセージを監視するステップと前記アクセス要求を監視するステップとが実質的にすぐに実行され、前記要求メッセージを送信するステップが要求メッセージを実質的にすぐに生成し送信するステップを含む、請求項１に記載の方法。
【請求項７】
前記少なくとも１つの移動局において、前記アクセス要求の処理が前記受信したページングの処理に優先し、前記送信するステップが受信される要求応答メッセージの正確性を決定するステップを含み、
前記正確性を決定するステップが前記受信される要求応答メッセージが前記送信された要求メッセージと一致するか否かを決定するステップを含み、
前記確認を送信するステップが前記受信される要求応答メッセージが前記送信された要求メッセージと一致するとき前記確認を送信する、請求項１に記載の方法。
【請求項８】
前記ページングを監視するステップと前記要求メッセージを監視するステップとが実質的にすぐに実行され、前記送信されるメッセージがメッセージのクラスとタイプを示すメッセージ指標を含み、
前記要求応答メッセージが受信されたメッセージが要求であることの指示とメッセージクラスの指示とを含む前記指標のうちの１つを含む、請求項２に記載の方法。
【請求項９】
ワイヤレス通信システムの少なくとも１つの移動局内で使用する装置であって、
少なくとも１つの移動局におけるアクセス要求を監視するよう構成される手段と、
少なくとも一つの基地局から受信されるページングメッセージを監視するよう構成される手段と、
前記少なくとも一つの基地局から受信される要求応答メッセージを監視するよう構成される手段と、
アクセス要求および／またはページングメッセージが検出されたか否かを決定するよう構成される手段と、
検出されたアクセス要求に応答して、この少なくとも１つの移動局専用のセグメント上で前記少なくとも１つの基地局へと実質的にすぐに要求メッセージを生成し、送信するよう構成される手段であり、事前指定されるセグメントが前記ページングメッセージを受信するため、そして前記要求応答メッセージを送信するために利用される手段と、
前記事前指定されるセグメントのいずれかにおいて受信される要求応答メッセージに応答して、前記要求応答メッセージの受信を示す確認を前記少なくとも１つの基地局へ送信するよう構成される手段と、
前記事前指定されるセグメント上で検出されるページングメッセージに応答して、前記ページングメッセージの受信を示す確認を前記少なくとも１つの基地局へと送信するよう構成される手段とを含み、
これによって、前記少なくとも一つの移動局が基地局からのアクセスを得るための待ち時間が最小化され、効率性が改善される装置。
【請求項１０】
ワイヤレス通信システムの少なくとも１つの基地局内で使用する装置であって、
少なくとも１つの基地局に提供されるページング指示を監視するよう構成される手段と、
少なくとも一つの移動局に割り当てられたセグメントにおいて前記少なくとも一つの移動局から受信される要求メッセージを監視するよう構成される手段と、
要求メッセージおよび／またはページング指示が前記少なくとも１つの基地局において検出されたか否かを決定するよう構成される手段と、
前記ページングメッセージを事前指定されるセグメント上で送信するよう構成される手段と、
要求応答メッセージを前記事前指定されるセグメント上で送信するよう構成される手段と、
ページング指示の検出に応答して、前記事前指定されるセグメントにおいて前記少なくとも１つの移動局に対してページングメッセージを送信するよう構成される手段と、
ページングメッセージが受信されたことを示す前記少なくとも１つの移動局からの確認が受信されたか否かを決定するよう構成される手段と、
要求メッセージが前記少なくとも一つの移動局から受信されることに応答して、前記事前指定されるセグメントのいずれか１つにおいて前記少なくとも一つの移動局に対して実質的にすぐに要求応答メッセージを生成、送信するよう構成される手段と、
要求応答メッセージが受信されたことを示す確認が前記少なくとも一つの移動局から受信されたか否かを決定するよう構成される手段とを含み、
これによって、前記少なくとも１つの基地局が前記少なくとも１つの移動局へのアクセスを得るための待ち時間が最小化され、効率性が改善される装置。
【発明の詳細な説明】
【０００１】
【関連出願】
本出願と同時に、米国特許出願番号０９／５９６，４３４号が出願された。
【０００２】
【発明の属する技術分野】
本発明はワイヤレス通信システムに関し、より具体的には移動局と基地局の間とのワイヤレス通信に関する。
【０００３】
【従来の技術】
ワイヤレス通信システム内で基地局と１つまたは複数の移動局が通信するための基本的な機構は、いわゆるセグメントを使用することによってメッセージを交換することである。このようなワイヤレスシステムの１つが、直交周波数分割多重化（ＯＦＤＭ）システムである。図２に示され、さらに以下に説明されるように、セグメントはタイムスロットインデックスと波形インデックスの組合せである。タイムスロットは、それに関連づけられた固有のタイムスロットインデックスを有する基本的な時間の単位である。任意の特定のタイムスロット間隔の間に、送受信されるいくつかの波形がある場合があり、その波形は直交である場合もあれば直交ではない場合もある。各波形は固有の波形インデックスを有する。ワイヤレス通信システムにおいて特に目的となるメッセージは、アップリンク上の移動局の要求およびダウンリンク上の基地局のページングである。
【０００４】
典型的には、移動局は基地局からのページングメッセージを受信する時に遅延に対して耐性がある。しかし移動局が要求を送信する時には、できるだけ早く要求を基地局に搬送し要求応答メッセージを受信して、待ち時間を最小限にとどめなければならない。
【０００５】
【発明が解決しようとする課題】
従来のワイヤレス通信システムの移動局および基地局の、アクセス要求およびページング送信に関連する問題および限界は、効率的な統一された手法を使用して移動局からのアクセス要求および基地局からのページングの両方を送信し検出することによって対処される。
【０００６】
【課題を解決するための手段】
この目的のために、移動局はアクセス要求を監視し、指定されたリソースを監視してページングが受信されているかどうかを検出する。アクセス要求を検出すると、対応する要求メッセージが実質的にすぐに生成され基地局に送信されて、これによってアクセスプロセスにおける待ち時間を最小化する。同時に、基地局はページング指示が受信されているかどうかを決定するように監視し、指定されたリソースを監視してアクセス要求メッセージが受信されているかどうかを決定する。このプロセスにおいて、要求メッセージの処理はページングの処理より優先される。受信された要求メッセージを検出すると、要求応答メッセージが実質的にすぐに生成され移動局に送信されて、これによってアクセスプロセスにおける待ち時間を最小化する。
【０００７】
さらに具体的には、移動局は基地局からのページングメッセージについて、あらかじめ指定された信号割当て（Ａ）セグメントを監視する。ページングメッセージを受信すると、移動局は適切な確認メッセージを基地局に送信し、ついで受信されたページングメッセージ内で指定されたアクションを実行する。アクセス要求が受信されると、特定の移動局専用のタイムスロット内の要求（Ｒ）セグメントの中で、要求メッセージが実質的にすぐに生成され基地局に送信される。ついで、移動局は基地局からの要求応答メッセージについて、すべての受信されたＡセグメントを監視する。要求応答メッセージを受信すると、適切な確認メッセージがＡＣＫセグメント内で基地局に送信される。ついで、移動局は受信された要求応答メッセージ内で指定されたアクションを実行する。移動局はページングメッセージとアクセス要求の両方を同時に監視し、アクセス要求の処理は受信されたページングメッセージの処理より優先される。
【０００８】
基地局内では、ページング指示が受信された場合、適切なページングメッセージが割り当てられたＡセグメント内で移動局に送信される。対応する確認メッセージを移動局から受信すると、基地局はページングメッセージ内で指定されたアクションを実行する。アクセス要求メッセージが割り当てられたＲセグメント内で検出されると、基地局は実質的にすぐに適切な要求応答メッセージを生成し移動局に送信する。ついで、適切な確認メッセージを移動局から受信すると、基地局は受信された要求メッセージ内で指定されたアクションを実行する。基地局は要求メッセージおよびページングの両方を同時に監視し、受信されたアクセス要求メッセージの処理はページング指示の処理よりも優先される。
【０００９】
このように、出願者らのユニークな発明はこの統一された技法を使用してページングプロセスおよびアクセス要求プロセスの両方を処理し、多様な要件のバランスをとる。
【００１０】
【発明の実施の形態】
図１は、本発明において使用される可能性のある基地局および移動局の詳細を簡単なブロック図の形で示す。具体的には、基地局１０１および移動局１０２が示されている。単一の移動局１０２のみが示されているが、典型的には多くの移動局を含む組が基地局１０１を共有していることに注意されたい。この例では、基地局１０１は送信器１０３、受信器１０４、コントローラ１０５を含み、アンテナ１０６を介してワイヤレスメッセージを送受信する。コントローラ１０５は、本発明に従って送信器１０３および受信器１０４の動作を制御するために使用されている。同様にこの例では、移動局１０２は送信器１０７、受信器１０８およびコントローラ１０９を含み、アンテナ１１０を介してワイヤレスメッセージを送受信する。コントローラ１０９は、本発明に従って送信器１０７および受信器１０８の動作を制御するために使用されている。
【００１１】
図２は、本発明を説明するために役立つセグメントの図である。上記のように、ワイヤレス通信システムにおいて基地局１０１と１つまたは複数の移動局１０２が通信する基本的な機構は、いわゆるセグメントを使用することによってメッセージを交換することである。タイムスロットは基本的な時間の単位であり、固有のタイムスロットインデックスがそれに関連づけられている。任意の特定のタイムスロットの間に、受信されるかまたは送信される波形は１つまたは複数ある可能性がある。波形の各々は固有の波形インデックスを有する。セグメントは、タイムスロットインデックスと波形インデックスの組合せと定義される。基地局１０１または移動局１０２は、セグメントを使用することによってメッセージを送信または受信する。タイムスロットの大きさおよびその中で搬送される特定の波形は、特定のメッセージ、すなわち、メッセージが要求（Ｒ）、要求応答（ＲＲ）、ページング（ＰＧ）、または確認（ＡＣＫ）であるかどうかに応じて変化する場合がある。任意の特定のタイムスロット内で搬送される波形は直交、すなわち、たがいに干渉しない波形である場合もある。直交波形の選択は、同じタイムスロット内で送信している移動局の間の干渉を低減できることに注意されたい。
【００１２】
図３は、本発明を説明するために役立つ、要求（Ｒ）セグメントの割当てを示す図である。各移動局１０２（図１）は、要求メッセージを所定のＲセグメント内で送信することによってこれらを搬送する。この目的のために、各移動局１０２には反復するタイムスロットのシーケンス、すなわち専用アップリンクリソースが割り当てられており、この間に要求が送信できる。図３に示されたように、移動＃１は第２のタイムスロット内、ついで第ｎ番目のタイムスロット内でＲセグメントへのアクセスを有する。この例では、移動＃２も、第２のタイムスロット内でＲセグメントへのアクセスを有するものとして示されている。実際、いくつかの移動局１０２が異なる波形を使用することによって、要求を同時に送信することができる。典型的には、単一の移動局１０２のみが特定のＲセグメントを使用する。これでランダムアクセス方式により、送信側要求メッセージの落とし穴を避ける。また、個別の移動局１０２は、割り当てられたＲセグメントに関して異なる周期性を有する可能性もあることに注意されたい。Ｒセグメントは、移動局１０２へ、移動局のアクセス要求を基地局１０１へ搬送する専用アップリンクリソースを許可したことを表す。
【００１３】
図４は、本発明を説明するために役立つ、ページングの送信を示す図である。基地局１０１は割当て（Ａ）セグメント内で移動局１０２にページングを送信する。移動局１０２内の処理を削減するために、Ａセグメント内のページングメッセージは反復するＡセグメントのシーケンス内のみに到着する場合がある。したがって移動局１０２はあらかじめ指定されたＡセグメントのみを監視し、基地局１０１および移動局１０２はあらかじめ指定されたＡセグメントに関する理解を有する可能性がある。このようにして図４に示されたように、移動局＃２に向けられたＡセグメントに関して、移動局＃１および移動局＃２の両方がＡセグメントを監視しており、移動＃１に向けられたＡセグメントに関して移動局＃１および移動局＃３の両方がＡセグメントを監視している。
【００１４】
図５は、本発明を説明するために役立つ、要求応答メッセージの送信を示す図である。基地局１０１は移動局１０２から要求メッセージを検出した後、要求応答メッセージをＡセグメント内で送信して戻す。この応答メッセージは、要求応答メッセージが向けられた移動局１０２の識別を含む。移動局１０２は、要求メッセージを送信した後に受信されたすべてのＡセグメントを監視し、基地局１０１から期待される要求応答メッセージを検出する。このように、図５はＲセグメント内で要求メッセージを送信した後、要求応答メッセージが任意のＡセグメント内で受信できることを示す。
【００１５】
同じＡセグメントを使用して、要求応答メッセージおよびページングメッセージの両方を送信できることが分かる。これは多くの例で、要求応答メッセージの長さおよびページングメッセージの長さが同じであるため可能である。１つの例で、要求メッセージが要求状態の移行を搬送し、要求応答メッセージが要求された状態の移行を許可した場合、ページングメッセージは、基地局１０１から移動局１０２への異なる状態へ移行させるオーダである。このような例では、ページングメッセージと要求応答メッセージの両方が同じＡセグメント内に収容できる。長すぎてＡセグメントにフィットしないメッセージを収容するには、ポインタがＡセグメント内に置かれて移動局１０２がメッセージの残りを調べて得られる場所を示す。ページングメッセージと要求応答メッセージを単一のＡセグメント内に組み合せる時、関連するメッセージのタイプ、すなわち、ページングメッセージまたは要求応答メッセージのいずれかを示す必要がある。
【００１６】
図６は、本発明の１態様を説明するのに役立つ、確認セグメントの送信を示す図である。各割当て（Ａ）セグメントに関して、対応する確認（ＡＣＫ）セグメントがあることに注意されたい。確認メッセージは次のように移動局１０２によって送信される。
（ａ）移動局１０２がページングメッセージを受信した時、および
（ｂ）移動局１０２が元の要求メッセージと矛盾しない要求応答メッセージを受信した時。
確認メッセージの目的は
（１）基地局１０１および移動局１０２の両方によって矛盾しない状態遷移を提供し、
（２）基地局１０1および移動局１０２の両方によって、間違った警告や間違った検出によって生じた不必要な状態遷移を除去することである。
確認メッセージは、要求メッセージが非常に信頼性高く作成されている場合は不要になる可能性がある。しかし、要求セグメントは移動局に関して専用のリソースであるのに対し、確認セグメントは共有リソースであるため、これは時間と帯域幅リソースの点で非常に高価になる。他方、確認メッセージを非常に信頼性高く作成することによって、システムリソース内で節約が実現される。
【００１７】
図７は、本発明を説明するために役立つ、割当てセグメントを監視するプロセスを示す図である。特に、図７は移動局１０２の動的な挙動を示す。移動局１０２は一般的に、ページングメッセージについて、移動局に割り当てられた受信されたＡセグメント、すなわちＡセグメント７０１および７０２のみを監視する。移動局１０２は要求メッセージを送信した後、要求応答メッセージについてすべての受信されたＡセグメント、すなわち７０４、７０５、７０６などを監視する。実際には、移動局１０２は所定の数のＡセグメントを監視した後タイムアウトになる可能性がある。論理は、基地局１０１は忙しすぎてその要求を処理できないことである。これは処理電力を節約するので、移動局１０２のバッテリ寿命を伸ばすことになる。
【００１８】
図８Ａおよび８Ｂは、それぞれ基地局および移動局内で使用され、要求メッセージを監視し送信するプロセスのステップを示す高いレベルのフローチャートである。ここで図８Ａに示されたように、ステップ８０１では基地局１０１は着信要求メッセージに関して要求チャネルを監視し、要求が移動局１０２から受信された場合は、ステップ８０２では要求応答メッセージが送信される。その後、制御はステップ８０１に戻され、ステップ８０１および８０２は反復される。図８Ｂに示されたように、ステップ８０３では移動局１０２は要求が開始される、すなわち生成されるのを待つ。要求が生成されると、ステップ８０４では要求メッセージが移動局１０２に割り当てられたＲセグメント内で送信される。ついで、ステップ８０５では、要求応答メッセージが基地局１０１から受信されているかどうかを決定するようにテストする。ステップ８０５のテストの結果がいいえである場合、制御はステップ８０４に戻され、ステップ８０５がはいという結果を生むまでステップ８０４および８０５は反復される。ステップ８０５がはいという結果を生むと、ステップ８０６では移動局１０２は次の状態に移行する。
【００１９】
図９Ａおよび９Ｂは、それぞれ移動局および基地局内で使用され、ページングを監視し送信するプロセス内のステップを示す高いレベルのフローチャートである。具体的には、図９Ａで示されたように、ステップ９０１では移動局１０２は基地局１０１からのページングについてページングチャネルを監視する。ステップ９０２で基地局１０１からページングメッセージを受信すると、ステップ９０３では移動局１０２は次の状態に移行する。図９Ｂに示されたように、ステップ９０４では基地局１０１はページングメッセージを得るのを待つ。ページングメッセージを受信すると、ステップ９０５では、基地局１０１は対応する移動局１０２の識別を含むページングメッセージを送信する。
【００２０】
図１０は、移動局１０２が開始した要求メッセージに関する、高いレベルの論理的な流れを示す図である。移動局１０２は、基地局１０１に具体的なサービスを求める要求を搬送する要求メッセージをＲセグメント内で送信する。要求を受信すると、基地局１０１は要求応答メッセージを適切な割当てセグメント、すなわち、Ａセグメント内で送信する。移動局１０２は要求応答メッセージを受信すると、要求応答メッセージが指定された正確さの要件を満たしている場合、確認メッセージを特定のＡＣＫセグメント内で送信する。
【００２１】
図１１は、基地局１０１が開始したページングメッセージに関する、高いレベルの論理的な流れを示す図である。基地局１０１はページングメッセージを適切なＡセグメント内で送信する。移動局１０２はＡセグメントを監視し、ページングメッセージを受信すると、そのページングメッセージが指定された正確さの要件を満たしている場合、確認メッセージを特定のＡＣＫセグメント内で送信する。
【００２２】
最初に、図１２のフローチャートに示されたプロセス、および次に説明される図１３のフローチャートによって示されるプロセス内で使用される多くの状態変数を定義することが最良であると思われる。変数ＸおよびＹは基地局１０１によって維持され、ページングメッセージおよび要求応答メッセージ内で適切なフィールドを設定するために使用される。かなりの数の異なる種類のページングメッセージと要求メッセージがあり、これらは異なるクラスに属するものと考えられる。ページングメッセージは「ｎ」の異なるクラスであり、要求メッセージは「ｍ」の異なるクラスである可能性がある。ＤＲおよびＤＰは、基地局１０１によって維持される内部状態変数であり、それぞれ「ｍ」値および「ｎ」値をとり、メッセージクラスを示す。Ｙはメッセージがページングメッセージであるか要求応答メッセージであるかを示し、それぞれ値ＰまたはＲをとると考えられる。Ｘはメッセージクラスを示す。変数ＸおよびＹはＤＰおよびＤＲの関数である。特定の目的の具体的な関数の１つは次のとおりである。すべての（ｍ＋ｎ）メッセージクラスの優先順位または相対的な重要性を定義した後、変数ＸおよびＹは次のように定義される。
Ｘ＝ｍａｘ（ＤＲ、ＤＰ）
ＤＰ＞ＤＲの場合、Ｙ＝Ｐ
それ以外の場合、Ｙ＝Ｒ
【００２３】
例として、ｍ＝２およびｎ＝３である場合を考えてみる。ｒｃ１およびｒｃ２は要求メッセージに関するメッセージクラスであり、ｐｃ１、ｐｃ２およびｐｃ３はページングメッセージに関するメッセージクラスであるとする。すると、要求メッセージおよびページングメッセージが０＜ｒｃ１＜ｐｃ１＜ｒｃ２＜ｐｃ２＜ｐｃ３の優先順位を有する場合、ＸおよびＹに関する上記の関数は次の表のような結果になる。
【表１】
0003881529.tif 000002
【００２４】
図１２は、本発明による、移動局１０２内で使用され、要求メッセージを開始しページングメッセージを監視する統一したプロセス内のステップを示す状態図である。状態１２０１では、移動局１０２は、図７に示され上記に説明されたようにアクセス要求を監視し、受信されたページングに関して割り当てられたＡセグメントを監視する。ページングを受信すると、すなわち変数Ｙ＝Ｐの場合、状態１２０２に入り、適切な確認メッセージを含む対応するＡＣＫセグメントが基地局１０１に送信される。その後、状態１２０４では移動局１０２は受信されたＡセグメント内で示されたアクションを実行する。状態１２０１に戻り、アクセス要求が検出された場合、すなわち変数Ｙ＝Ｒの場合、要求メッセージはこの特定の移動局１０２に割り当てられたＲセグメント内で基地局１０１に送信され、状態１２０３に入る。状態１２０３では、移動局１０２は基地局１０１からの要求応答メッセージについてすべてのＡセグメントを監視する。適切な要求応答メッセージが指定された数のＡセグメントのうち１つの中で受信されていない場合、移動局１０２は状態１２０１に戻る。すなわち、移動局１０２はタイムアウトし、要求メッセージを含むＲセグメントの再送信は終了する。移動局１０２が［Ｘ、Ｙ］を含む要求応答メッセージを受信する時、移動局１０２はその正確さをチェックする。正確さの定義の１つの例は、Ｙ＝ＲでありＸが元の送信された要求メッセージと矛盾しない場合、［Ｘ、Ｙ］は正しいというものである。適切な要求応答メッセージが受信されない場合、移動局１０２のタイムアウトが発生するまで、Ｒセグメントが割り当てられたタイムスロット内で再送信される。状態１２０３で正しい［Ｘ、Ｙ］が受信されると、移動局１０２は状態１２０２に入り、適切な確認メッセージを含むＡＣＫセグメントが基地局１０２に送信される。その後、状態１２０４に入り、移動局１０２は受信されたＡセグメント内で指定されたアクションを実行する。
【００２５】
図１３は本発明による、基地局１０１内で使用され、ページングメッセージを開始し要求メッセージを監視する統一したプロセス内のステップを示す状態図である。状態１３０１では、状態変数ＤＰおよびＤＲはゼロ（０）に設定される。ついで、状態１３０２では、基地局１０１はページングメッセージの指示を監視し、受信された要求メッセージについて割り当てられたＲセグメントを監視する。ページングメッセージが検出されると、状態１３０３ではＤＰが「ｎ」値に設定され、ページングメッセージクラスを示す。状態１３０５では基地局１０１はページングメッセージを割り当てられたＡセグメント内で移動局１０２に送信する。状態１３０５で要求メッセージが受信されると、すぐに状態１３０４に入る。これは、要求側移動局１０２へアクセスを提供する際の遅延を最小化するために重要である。状態１３０５へ戻ると、ＡＣＫセグメントが受信されない場合、ページングメッセージは再び割り当てられたＡセグメント内で送信される。適切な確認メッセージを含むＡＣＫセグメントが受信されると、状態１３０６に入り、基地局１０１はＡＣＫセグメントメッセージ内で指定されたアクションを実行する。状態１３０２に戻り、要求メッセージが割り当てられたＲセグメント内で受信されると、状態１３０４に入り、状態変数ＤＲはそのクラスを示す「ｍ」値に設定される。ついで、状態１３０７では要求応答メッセージをできるだけ早くＡセグメント内で送信する。ここでも、これは要求側移動局１０２へアクセスを提供する時の遅延が最小化されるようにするためである。適切な確認メッセージを含むＡＣＫセグメントが受信されない場合、状態１３０８はＤＲをゼロ（０）に戻して状態１３０２に再び入る。適切な確認メッセージがＡＣＫセグメント内で受信された場合、状態１３０６では基地局１０１はＡセグメント内の要求応答メッセージで指定されたアクションを実行する。
【００２６】
状態１２０４および１３０６内で、それぞれ移動局１０２および基地局１０１によって実行されるアクションは矛盾しないことに注意されたい。
【００２７】
上記の実施形態はもちろん、本発明の原理を例示するのみである。実際には、当業者は本発明の精神および範囲から離れることなく多くの他の方法または装置を工夫できる。
【図面の簡単な説明】
【図１】本発明が使用される可能性のある、基地局および移動局の詳細を簡単なブロック図の形で示した図である。
【図２】本発明を説明するために役立つ、セグメントをグラフィカルに表現した図である。
【図３】本発明を説明するために役立つ、要求（Ｒ）セグメント割当てを示す図である。
【図４】本発明を説明するために役立つ、ページングの送信を示す図である。
【図５】本発明を説明するために役立つ、要求応答メッセージの送信を示す図である。
【図６】本発明の１態様を説明するために役立つ、確認セグメントの送信を示す図である。
【図７】本発明を説明するために役立つ、割当てセグメントを監視するプロセスを示す図である。
【図８Ａ】それぞれ基地局および移動局内で使用され、要求メッセージを監視し送信するプロセスのステップを示す、高いレベルのフローチャートである。
【図８Ｂ】それぞれ基地局および移動局内で使用され、要求メッセージを監視し送信するプロセスのステップを示す、高いレベルのフローチャートである。
【図９Ａ】それぞれ移動局および基地局内で使用され、ページングを監視し送信するプロセスのステップを示す、高いレベルのフローチャートである。
【図９Ｂ】それぞれ移動局および基地局内で使用され、ページングを監視し送信するプロセスのステップを示す、高いレベルのフローチャートである。
【図１０】移動局が開始した要求メッセージに関して、高いレベルの論理的な流れを示す図である。
【図１１】基地局が開始したページングメッセージに関して、高いレベルの論理的な流れを示す図である。
【図１２】本発明による、移動局内で使用され、要求メッセージを開始し、ページングメッセージを監視する統一されたプロセス内のステップを示す状態図である。
【図１３】本発明による、基地局内で使用され、ページングメッセージを開始し、要求メッセージを監視する統一されたプロセス内のステップを示す状態図である。
【符号の説明】
１０１  基地局
１０２  移動局
７０１〜７０６  Ａセグメント
８０１〜８０６  ステップ
９０１〜９０５  ステップ
１２０１〜１３０８  状態
【図１】
0003881529.tif 000003
【図２】
0003881529.tif 000004
【図３】
0003881529.tif 000005
【図４】
0003881529.tif 000006
【図５】
0003881529.tif 000007
【図６】
0003881529.tif 000008
【図７】
0003881529.tif 000009
【図８Ａ】
0003881529.tif 000010
【図８Ｂ】
0003881529.tif 000011
【図９Ａ】
0003881529.tif 000012
【図９Ｂ】
0003881529.tif 000013
【図１０】
0003881529.tif 000014
【図１１】
0003881529.tif 000015
【図１２】
0003881529.tif 000016
【図１３】
0003881529.tif 000017